(57)【要約】  【課題】  扁平板を安全に使用でき、しかも軽い操作力で折畳み状態に戻すことのできる折畳み式テーブルを提供する。  【解決手段】  壁面Ｗ側に取り付けられたばねケース５と、扁平板２の回動基端側に固定されるとともに、ばねケース５にヒンジ軸６回りに上下方向に回動自在に枢支連結された旋回アーム部材７と、この旋回アーム部材７に固定されたカム部材８と、ばねケース５内に上下方向に摺動自在に収納され、カム部材８のカム面９に当接する突起１０を有するカムフォロア１１と、ばねケース５内に収納され、カムフォロア１１を常にカム部材８に向けて押付け付勢するばね部材１２と、を備える。カム部材８、カムフォロア１１及びばね部材１２によって扁平板２の使用状態への回動方向のトルクに反発するトルクを生じさせてそのバランスにて扁平板２が所定の回動角度位置に停止保持するようにしてある。【選択図】      図５
0003111639.tif 000002
【実用新案登録請求の範囲】
【請求項１】
扁平板が壁面側に沿う垂直もしくは垂直に近い折畳み状態と、前記壁面に対し直角もしくは直角に近い使用状態とにわたって回動するようにした折畳み式テーブルにおいて、
前記壁面側に取り付けられたばねケースと、前記扁平板の回動基端側に固定されるとともに、前記ばねケースにヒンジ軸回りに上下方向に回動自在に枢支連結された旋回アーム部材と、この旋回アーム部材に固定されたカム部材と、前記ばねケース内に上下方向に摺動自在に収納され、前記カム部材のカム面に摺接する突起を有するカムフォロアと、前記ばねケース内に収納され、前記カムフォロアを常に前記カム部材に向けて押付け付勢するばね部材と、を備えており、
前記カム部材、カムフォロア及びばね部材によって前記扁平板の使用状態への回動方向のトルクに反発するトルクを生じさせてそのバランスにて前記扁平板が所定の回動角度位置に停止保持するようにしてなることを特徴とする、折畳み式テーブル。
【請求項２】
前記旋回アーム部材が前記扁平板の回動基端側の下面に固定され、前記カムフォロアが前記カム部材の下方に位置するよう設置されている、請求項１記載の折畳み式テーブル。
【考案の詳細な説明】
【技術分野】
【０００１】
本考案は、トイレ等の壁面に取り付けられ、被介護者が便器に座るときにその体の支えとなったり、被介護者の用便の前後にその下半身に着けている下着を介護者によりずり下げたり、引き上げたり、あるいはお尻を拭いたりする際に前屈み姿勢の被介護者の体を支えたりするのに使用される用便介護用肘置き台や、電車の座席の脇などに設置される小物載せ台などに使用される折畳み式テーブルに関する。
【背景技術】
【０００２】
たとえば、用便介護用肘置き台として、図１３に示すように、トイレの壁面Ｗに扁平板３０の回動基端側をヒンジ３１で回動自在に取り付け、肘掛用の扁平板３０の側面上の回動先端側部位を壁面Ｗに対し２本の屈折可能なリンク３２ａ，３２ｂからなるステー３２で支持して、扁平板３０を壁面Ｗに沿う折畳み状態（二点鎖線状態を参照）と、壁面Ｗから略水平に突出する使用状態（実線状態を参照）とにわたってステー３２を介してヒンジ３１回りに回動させるようにしたものがある。
【考案の開示】
【考案が解決しようとする課題】
【０００３】
しかるに、上記のような構成の用便介護用肘置き台では、扁平板３０を垂直の折畳み状態から略水平の使用状態に倒すとき、扁平板３０の重力と、扁平板３０の回動中心から扁平板重心までの距離の積となる自重モーメントが働き、扁平板３０の自重による落下速度が増大して略水平の使用状態に達したときにかなりの衝撃が発生し、取扱い上少々危険性が伴う傾向があった。また、使用後に扁平板３０を持ち上げて垂直の折畳み状態に戻すときに要する操作力が重いという難点もあった。さらに、使用時にステー３２が邪魔になって使用し難く、使用者が手先や衣服をステー３２で挟むおそれもあった。
【０００４】
本考案の目的は、このような問題を解決するためになされたもので、扁平板を安全に使用でき、しかも軽い操作力で折畳み状態に戻すことのできる折畳み式テーブルを提供することにある。
【課題を解決するための手段】
【０００５】
本考案は、その考案の内容を理解しやすくするために図５に付した符号を参照して説明すると、扁平板（２）が壁面（Ｗ）側に沿う垂直もしくは垂直に近い折畳み状態と、壁面（Ｗ）に対し直角もしくは直角に近い使用状態とにわたって回動するようにした折畳み式テーブルにおいて、壁面（Ｗ）側に取り付けられたばねケース（５）と、扁平板（２）の回動基端側に固定されるとともに、ばねケース（５）にヒンジ軸（６）回りに上下方向に回動自在に枢支連結された旋回アーム部材（７）と、この旋回アーム部材に固定されたカム部材（８）と、ばねケース（５）内に上下方向に摺動自在に収納され、カム部材（８）のカム面（９）に摺接する突起（１０）を有するカムフォロア（１１）と、ばねケース（５）内に収納され、カムフォロア（１１）を常にカム部材（８）に向けて押付け付勢するばね部材（１２）と、を備えており、前記カム部材（８）、カムフォロア（１１）及びばね部材（１２）によって扁平板（２）の使用状態への回動方向のトルクに反発するトルクを生じさせてそのバランスにて扁平板（２）が所定の回動角度位置に停止保持するようにしてなることに特徴を有するものである。
【考案の効果】
【０００６】
上記構成の折畳み式テーブルによれば、カム部材、カムフォロア及びばね部材によって扁平板の使用状態への回動方向のトルクに反発するトルクを発生させることで、扁平板が略水平の使用状態に達する時の衝撃を緩和でき、また使用後に扁平板を持ち上げて折畳み状態に戻すときに要する操作力を軽減できる。したがって、用便介護用肘置き台としても介護者、被介護者にとって極めて安全でかつ使い勝手が良好である。
【０００７】
また、上記構成の折畳み式テーブルは図１５に示すごとき従来の用便介護用肘置き台のようにステー３２などを併装しないため、安全にかつ省スペースで設置でき、使い勝手も良いという利点がある。
【考案を実施するための最良の形態】
【０００８】
本考案の好適な実施形態を図面に基づき説明する。図１は本考案の一実施例を示す折畳み式テーブルの設置例を示す側面図、図２は同折畳み式テーブルを折畳み状態で示す斜視図、図３は同折畳み式テーブルを使用状態で示す斜視図、図４は同折畳み式テーブルを折畳み状態で示す縦断面図、図５は同折畳み式テーブルを使用状態で示す縦断面図、図６は図４における要部の拡大断面図、図７は図５における要部の拡大断面図、図８は同折畳み式テーブルの分解斜視図である。
【０００９】
図１においては、用便介護用肘置き台に使用される折畳み式テーブル１を示す。この折畳み式テーブル１は合板等からなる扁平板２を備え、この扁平板２を、トイレや居室などに設置された便器３に近傍の壁面Ｗの床面Ｆから所定高さ位置（例えば、便器３の弁座から２００ｍｍ程度高い位置）に、該壁面Ｗに沿う垂直もしくは垂直に近い折畳み状態（二点鎖線状態を参照）と、壁面Ｗに対し直角もしくは直角に近い略水平な使用状態（実線状態を参照）とにわたって回動するように設置する。
【００１０】
図４、図５において、上記折畳み式テーブル１は、壁面Ｗ側に取付部材４を介して取り付けられるばねケース５と、扁平板２の回動基端側の上面に固定されるとともに、ばねケース５にヒンジ軸６回りに上下方向に回動自在に枢支連結される旋回アーム部材７と、この旋回アーム部材７に固定されるカム部材８と、ばねケース５に上下方向に摺動自在に収納され、その下端にカム部材８のカム面９に摺接する突起１０を有するカムフォロア（スライダー）１１と、ばねケース５内のカムフォロア１１の上側に収納され、カムフォロア１１を常にカム部材８に向けて押付け付勢する圧縮コイルばね等によるばね部材１２とを備える。
【００１１】
上記取付部材４は、図８に示すように、背面板１３、背面板１３の左右両側から前方へ折曲連設した側面板１４，１５、および背面板１３の下端から前方へ折曲連設した底面板１６を有して前方および上方に開放する形に形成されて、図４等に示すように背面板１３が壁面Ｗにビス等で固定される。ばねケース５は、図８に示すように、正面板１７、正面板１７の上端から後方へ折曲連設した上面板１８、および正面板１７の左右両側から後方へ折曲連設した側面板１９，２０を有して後方および下方に開放する小さい箱形に形成されて、上面板１８の後端から上方へ張り出した鍔１８ａや側面板１９，２０の各後端から外側方へ張り出した鍔１９ａ，２０ａを、図３等に示すように取付部材４の背面板１３に重ね合わせ、この重合部をビス止めあるいは溶接等の固定手段で固定する。
【００１２】
上記旋回アーム部材７は、図８に示すように、底面板２１、および底面板２１の左右両側から上方へ折曲連設した側面板２２，２３を有する断面溝形状に形成されて、扁平板２の回動基端側の上面にビス止め等の固定手段で固定される。
【００１３】
上記カム部材８は、旋回アーム部材７の側面板２２，２３の後端寄り間に配置されて該側面板２２，２３及びカム部材８に挿通されるカム軸２４によって旋回アーム部材７上に固定される。カム部材８のカム軸２４外周付近に相当する上端部に、カム軸２４の軸心に近づくように形成された径小円弧部９ａと、この径小円弧部９ａの上端から上方に向かってカム軸２４の軸心から徐々に遠ざかるよう緩やかな曲縁に描かれる径大円弧部９ｂとを有する断面円弧形状のカム面９が形成されている。
【００１４】
旋回アーム部材７の側面板２２，２３間には上記ばねケース５の側面板１９，２０の下端部がはめ込まれ、該側面板１９，２０及びカム部材７にヒンジ軸６を挿通して、ばねケース５に対して旋回アーム部材７がヒンジ軸６回りに上下回動自在に枢支連結される。
【００１５】
上記カムフォロア１１は、上記ばねケース５の内部に上下方向に摺動自在に収納される一方、上記ばね部材１２はばねケース５の上面板１８とカムフォロア１１との間に介在されてカムフォロア１１を常にカム部材８に向けて押付け付勢され、このばね部材１２によりカムフォロア１１の突起１０をカム部材８のカム面９上に強く接触させる。
【００１６】
次に、上記構成の折畳み式テーブル１の作動について図６、図７を参照にして説明する。図６は扁平板２が壁面側Ｗに沿う垂直もしくは垂直に近い折畳み状態を示している。この折畳み状態では、カムフォロア１１の突起１０がカム部材８のカム面９の径小円弧部９ａに位置してばね部材１２が最も長く伸びた状態にあり、これにより扁平板２の折畳み状態を確実に保持している。
【００１７】
この折畳み状態から図７のように扁平板２をヒンジ軸６回りに下方へ回動させて行くと、ばね部材１２が圧縮しながらカムフォロア１１の突起１０がカム部材８のカム面９を上方に向かって摺動するが、このとき扁平板２の使用状態への回動方向のトルクに反発するトルクがカム部材８、カムフォロア１１及びばね部材１２により生じてそのバランスにて扁平板２は所定回動角度位置で停止保持できる。また、そのようにカム部材８、カムフォロア１１及びばね部材１２によって扁平板２の使用状態への回動方向のトルクに反発するトルクを発生させることで、扁平板２が壁面Ｗに対し直角もしくは直角に近い略水平の使用状態に達する時の衝撃を緩和できる。
【００１８】
扁平板２が壁面Ｗに対し直角もしくは直角に近い略水平の使用状態は、カムフォロア１１の突起１０がカム面９の径大円弧部９ｂに位置してばね部材１２が最も圧縮した状態で確実に保持される。この使用状態では、被介護者が前屈み姿勢になって肘を扁平板２の上に安全に置くことができ、被介護者の上半身を支える肘掛けとして安全に使用することができる。
【００１９】
使用後、扁平板２を持ち上げて折畳み状態に戻すときは、カム部材８、カムフォロア１１及びばね部材１２によって生じている扁平板２の使用状態への回動方向のトルクに反発するトルクの作用により軽い操作力で扁平板２を折畳み状態に戻すことができる。このように扁平板２を折畳むときに、大きな操作力を必要としないようにしてあるため、介護者などの負担を軽減できる。
【００２０】
上記実施例の折畳み式テーブル１では、旋回アーム部材７が扁平板２の回動基端側の上面に固定され、カムフォロア１１がカム部材８の上方に位置するよう設置されている。これに対し、図９〜図１２に示す他の実施例の折畳み式テーブル１のように、旋回アーム部材７は扁平板２の回動基端側の下面に固定し、カムフォロア１１はカム部材８の下方に位置するよう設置することもできる。
【００２１】
すなわち、この他の実施例では、折畳み式テーブル１が、壁面Ｗ側に取付部材４を介して取り付けられるばねケース５と、扁平板２の回動基端側の下面に固定されるとともに、ばねケース５にヒンジ軸６回りに上下方向に回動自在に枢支連結された旋回アーム部材７と、この旋回アーム部材７にカム軸２４で固定されたカム部材８と、ばねケース５に上下方向に摺動自在に収納され、その上端にカム部材８のカム面９に摺接する突起１０を有するカムフォロア１１と、ばねケース５内のカムフォロア１１の下側に収納され、カムフォロア１１を常にカム部材８に向けて押付け付勢する圧縮コイルばね等によるばね部材１２とを備えてなる。この場合において、カム部材８、カムフォロア１１及びばね部材１２によって扁平板２の使用状態（図１１、図１２参照）への回動方向のトルクに反発するトルクを生じさせてそのバランスにて扁平板２が所定の回動角度位置に停止保持するようにしてなることは、上記実施例の場合と同様である。
【００２２】
このように旋回アーム部材７が扁平板２の回動基端側の下面に固定され、カムフォロア１１がカム部材８の下方に位置するよう設置されてなる折畳み式テーブル１によれば、図１１、図１２にみられるように、扁平板２が壁面Ｗに対し直角もしくは直角に近い略水平の使用状態において、取付部材４、ばねケース５、旋回アーム部材７、カム部材８、およびカムフォロア１１など全ての部材を、扁平板２の回動基端側の上面より下方に納めることができるため、図５のようにそれら部材４，５，７，８，１１が扁平板２の回動基端側の上面側に存在する折畳み式テーブル１の態様に比べて、扁平板２の上面に肘を掛けたり、物を置いたりするときにそれら部材が障害になるようなことがなく、扁平板２の上面をフルにかつ安全に使用することができる点で有利である。
【００２３】
この場合において、取付部材４の背面板１３の左右両側から前方へ折曲連設した側面板１４，１５の前端縁における上端部に円弧壁部１４ａ，１５ａを形成し、この円弧壁部１４ａ，１５ａに円弧溝２５，２６を設ける。この左右の円弧溝２５，２６間にはストッパーバー２７を掛け渡す。そして、ストッパーバー２７の左右両端部を図９に示すように円弧溝２５，２６の上端側に設けた切欠部２５ａ，２６ａに係合させると、該ストッパーバー２７が折畳み状態の扁平板２の旋回アーム部材７に係合して扁平板２が不測に使用状態の方向に回動するのを規制できてその折畳み状態をより確実に保持でき、またストッパーバー２７の左右両端部を図１１に示すように円弧溝２５，２６の下端２５ｂ，２６ｂに係合させると、該ストッパーバー２７が使用状態の扁平板２の旋回アーム部材７に係合して扁平板２が大きい荷重を受けてもそれ以上ヒンジ軸６回りに下方へ回動するのを規制できてその使用状態をより確実に保持できるようにしてある。なお、取付部材７の左右側面板１４，１５間の前方開口部は安全対策のために正面蓋２８で塞いでいる。
【００２４】
本考案の折畳み式テーブルは用便介護用肘置き台以外に、電車の座席の脇などに設置される小物載せ台などにも適用することができる。
【図面の簡単な説明】
【００２５】
【図１】本考案の一実施例を示す折畳み式テーブルの設置例を示す側面図である。
【図２】図１の折畳み式テーブルを折畳み状態で示す斜視図である。
【図３】図１の折畳み式テーブルを使用状態で示す斜視図である。
【図４】図１の折畳み式テーブルを折畳み状態で示す縦断面図である。
【図５】図１の折畳み式テーブルを使用状態で示す縦断面図である。
【図６】図４における要部の拡大断面図である。
【図７】図５における要部の拡大断面図である。
【図８】図１の折畳み式テーブルの分解斜視図である。
【図９】他の実施例の折畳み式テーブルを折畳み状態で示す斜視図である。
【図１０】図９の折畳み式テーブルの縦断面図である。
【図１１】図９の折畳み式テーブルを使用状態で示す斜視図である。
【図１２】図１１の折畳み式テーブルの縦断面図である。
【図１３】従来例の用便介護用肘置き台の側面図である。
【符号の説明】
【００２６】
Ｗ  壁面
１  折畳み式テーブル
２  扁平板
４  取付部材
５  ばねケース
６  ヒンジ軸
７  旋回アーム部材
８  カム部材
９  カム面
１０  突起
１１  カムフォロア
１２  ばね部材
【図１】
0003111639.tif 000003
【図２】
0003111639.tif 000004
【図３】
0003111639.tif 000005
【図４】
0003111639.tif 000006
【図５】
0003111639.tif 000007
【図６】
0003111639.tif 000008
【図７】
0003111639.tif 000009
【図８】
0003111639.tif 000010
【図９】
0003111639.tif 000011
【図１０】
0003111639.tif 000012
【図１１】
0003111639.tif 000013
【図１２】
0003111639.tif 000014
【図１３】
0003111639.tif 000015